(57)【特許請求の範囲】
【請求項１】
主局及び複数の従局を含む無線通信システムであって、
上記主局は、
単一アップリンク伝送チャネルにおいて、上記従局からのランダムアクセス伝送と複数のタイムスロットに分割される専用シグナリング伝送とを割り当てる手段と、
上記専用シグナリング伝送において、上記従局毎にタイムスロットを割り当てる手段とを有する、システム。
【請求項２】
上記単一アップリンク伝送チャネルはフレームに分割され、
各フレームは、上記ランダムアクセス伝送に割り当てられた少なくとも一つの部分と、上記専用シグナリング伝送に割り当てられた少なくとも一つの部分とを含み、
上記専用シグナリング伝送に割り当てられた少なくとも一つの部分は、上記タイムスロットを含むことを特徴とする請求項１記載のシステム。
【請求項３】
各フレームにおけるランダムアクセス伝送と専用シグナリング伝送との割合を動的に変更する手段が設けられていることを特徴とする請求項２記載のシステム。
【請求項４】
単一アップリンク伝送チャネルにおいて、従局からのランダムアクセス伝送と複数のタイムスロットに分割される専用シグナリング伝送とを割り当てる手段と、
上記専用シグナリング伝送において、従局毎にタイムスロットを割り当てる手段とが設けられている、無線通信システムで使用される主局。
【請求項５】
上記単一アップリンク伝送チャネルはフレームに分割され、
各フレームは、上記ランダムアクセス伝送に割り当てられた少なくとも一つの部分と、上記専用シグナリング伝送に割り当てられた少なくとも一つの部分とを含み、
上記専用シグナリング伝送に割り当てられた少なくとも一つの部分は、上記タイムスロットを含むことを特徴とする請求項４記載の主局。
【請求項６】
各フレームにおけるランダムアクセス伝送と専用シグナリング伝送との割合を動的に変更する手段が設けられていることを特徴とする請求項５記載の主局。
【請求項７】
フレームのランダムアクセス部分に近い方にあるタイムスロットよりも上記フレームのランダムアクセス部分から遠い方にあるタイムスロットを優先して専用シグナリング伝送に割り当てる手段が設けられていることを特徴とする請求項５又は６記載の主局。
【請求項８】
単一アップリンク伝送チャネルにおいて、従局からのランダムアクセス伝送と複数のタイムスロットに分割される専用シグナリング伝送とが割り当てられ、上記専用シグナリング伝送において、従局毎にタイムスロットが割り当てられる無線通信システムにおいて使用される従局であって、
ランダムアクセス伝送情報及び専用シグナリング伝送情報をチャネル中の割り当てられた部分で送信する手段が設けられている従局。
【請求項９】
上記単一アップリンク伝送チャネルはフレームに分割され、
各フレームは、上記ランダムアクセス伝送に割り当てられた少なくとも一つの部分と、上記専用シグナリング伝送に割り当てられた少なくとも一つの部分とを含み、
上記専用シグナリング伝送に割り当てられた少なくとも一つの部分は、上記タイムスロットを含むことを特徴とする請求項８記載の従局。
【請求項１０】
主局及び複数の従局を含む無線通信システムを動作させる方法であって、
上記主局が、単一アップリンク伝送チャネルにおいて、上記従局からのランダムアクセス伝送と複数のタイムスロットに分割される専用シグナリング伝送とを割り当てる手段と、上記専用シグナリング伝送において、上記従局毎にタイムスロットを割り当てる手段とを有する無線通信システムを動作させる方法。
【請求項１１】
上記単一アップリンク伝送チャネルはフレームに分割され、
各フレームは、上記ランダムアクセス伝送に割り当てられた少なくとも一つの部分と、上記専用シグナリング伝送に割り当てられた少なくとも一つの部分とを含み、
上記専用シグナリング伝送に割り当てられた少なくとも一つの部分は、上記タイムスロットを含むことを特徴とする請求項１０記載の方法。
【発明の詳細な説明】
【０００１】
［技術分野］
本発明は、無線通信システムに係り、特に、無線通信システムで使用する主局及び従局と、無線通信システムを動作させる方法とに関する。以下では、特に、汎用移動通信システム（UMTS）に関して説明がなされているが、ここで説明される技術は、その他の移動無線システムで使用するために同等に適用可能であることに注意する必要がある。
【０００２】
［背景技術］
無線通信システムにおいて、一般的に、移動局（MS）と基地局（BS）との間でシグナリング・メッセージを交換可能であることが要求される。基地局から移動局へのダウンリンク・シグナリングは、通常、カバレッジ・エリア内の移動局をアドレス指定するため、基地局の物理的放送チャネルを用いて実現される。１台の送信機（基地局）だけがこの放送チャネルを使用するので、アクセス問題は生じない。
【０００３】
これに対し、移動局から基地局へのアップリンク・シグナリングは、より詳細な考慮を必要とする。移動局に音声サービス又はデータサービス用のアップリンクチャネルが既に割り当てられている場合、アップリンク・シグナリングは、シグナリング・メッセージが移動局から基地局に送信されるデータパケットに付け加えられるピギー・バッキング方式によって実現され得る。しかし、移動局にアップリンクチャネルが割り当てられていない場合、ピギー・バッキング方式は実現不可能である。この場合、新しいアップリンクチャネルの確立用又は再確立用の高速アップリンク・シグナリング機構が利用される。
【０００４】
たとえば、汎欧州デジタル移動電話方式（GSM）標準で動作する殆どのシステムにおいて、高速アップリンク・シグナリングは、スロット化されたALOHA又は類似したプロトコルを用いるランダムアクセスチャネルを設けることによって可能になる。しかし、このようなスキームは、低トラヒック負荷の場合に限り満足に作動し、UMTSのような第３世代電気通信標準によって課される要求条件を処理できるとは考えられない。
【０００５】
これらの要求条件を満たすため、一つのUMTSの実施例は、専用シグナリングチャネルを含む。専用シグナリングチャネルは、制御用の基地局に関して登録された各移動局毎にタイムスロットを有するフレームにより構成される。移動局が基地局からのサービスを要求するとき、移動局は割り当てられたスロットで要求を送信し、要求されたサービスを設定する基地局からの承認を待機する。このようなスキームは、長いメッセージの伝送が無いので、シグナリングがランダムアクセスチャネルを用いる場合よりも効率的であるという利点、並びに、各移動局には固有のタイムスロットが割り当てられているので、衝突の危険性が無いという利点がある。
【０００６】
しかし、専用シグナリングチャネルを設けることには欠点もある。移動局における付加的なコード生成器と、移動局における付加的な整合フィルタとが必要とされるので、ハードウェア実装上の複雑さが増加する。完全なシステムは、別のタイプのトランスポートチャネルを含むため、より複雑化する。
【０００７】
［発明の開示］
本発明の目的は、専用シグナリングチャネルを具備することの利点を維持したままその欠点を除去することである。
【０００８】
本発明の第１の局面により提供される無線通信システムは、主局及び複数の従局を含み、主局は、従局からのランダムアクセス伝送と専用シグナリング伝送の間で単一アップリンク伝送チャネルを分割する手段と、従局による専用シグナリング伝送にタイムスロットを割り当てる手段とを有する。
【０００９】
本発明の第２の局面により提供される無線通信システムで使用する主局は、従局からのランダムアクセス伝送と専用シグナリング伝送の間で単一アップリンク伝送チャネルを分割する手段と、従局による専用シグナリング伝送にタイムスロットを割り当てる手段とを具備する。
【００１０】
本発明の第３の局面によれば、単一アップリンク伝送チャネルがランダムアクセス伝送と専用シグナリング伝送の間で分割され、タイムスロットが従局による専用シグナリング伝送に割り当てられる無線通信システムで使用する従局は、ランダムアクセス伝送情報及び専用シグナリング伝送情報をチャネル中の割り当てられた部分で送信する手段が設けられる。
【００１１】
本発明の第４の局面によれば、主局及び複数の従局を含み、主局は、従局からのランダムアクセス伝送と専用シグナリング伝送の間で単一アップリンク伝送チャネルを分割する手段と、従局による専用シグナリング伝送にタイムスロットを割り当てる手段とを有する無線通信システムを動作させる方法が提供される。
【００１２】
本発明は、ランダムアクセスチャネル及び専用シグナリングチャネルが、両方のアクセス機構に対し同一ハードウェアを用いて単一の物理的チャネルに組み合わされるという従来技術では得られなかった認識に基づいている。
【００１３】
以下、添付図面を参照して本発明の実施例を説明するが、本発明は、以下の例に限定されるものではない。
【００１４】
図面を通じて、同じ参照番号は対応した事項を示すために使用される。
【００１５】
［発明の実施態様］
図１を参照するに、無線通信システムは、主局（ＢＳ）１００と、複数の従局（ＭＳ）１１０とにおり構成される。主局１００は、マイクロコントローラ（μＣ）１０２と、無線伝送手段１０６に接続されたトランシーバー手段１０４と、ＰＳＴＮ若しくは他の適当なネットワークへの接続用のコネクション手段１０８とを有する。各従局１１０は、マイクロコントローラ（μＣ）１１２と、無線伝送手段１１６に接続されたトランシーバー手段１１４とを有する。主局１００から従局１１０への通信はダウンリンクチャネル１２２で行われ、従局１１０から主局１００への通信はアップリンクチャネル１２４で行われる。
【００１６】
本発明は、専用のアップリンクチャネルが割り当てられていない従局１１０が主局１００からのリソースを要求し、或いは、短いメッセージを主局１００に送信するためのアップリンクチャネル１２４に関する。実施例は、符号分割多元接続（CDMA）技術を利用するUMTSシステムに関して説明される。しかし、開示される技術は、時分割多元接続（TDMA）のような他の技術を使用するシステムにも同様に適用可能である。同様に、本発明の実施例は、周波数分割二重通信方式の場合について説明されているが、本発明は周波数分割二重通信方式のシステムでの用途に制限されることがなく、たとえば、時分割二重通信方式のような他の二重通信方式にも適用される。
【００１７】
UMTSシステムにこのような便利な機能を設けるための一つのチャネルの配置例は、図２に示されるようなランダムアクセスチャネルである。アップリンクチャネルは、長さが１０ｍｓずつのフレーム２０２の系列に分割される。フレーム２０２は、複数のアクセススロット２０４に細分される。ランダムに送信しようとする移動局１１０は、アクセススロット２０４を選択し、プレアンブル２０６を送信する。プレアンブル２０６は、セル内の任意の移動局１１０によって使用されるセル固有アクセスシーケンスの組の中の一つのアクセスシーケンスを含む。一実施例において、アクセスシーケンスは、１６個のサインの組からランダムに選択されたサインシーケンスを拡散するため、セル固有コードを使用することによって生成される。
【００１８】
主局１００が送信されたプレアンブル２０６を検出するために十分な遅延の後、更なる伝送を受信する準備ができると、従局１１０は、１０ｍｓの固定長を有するメッセージ２０８を送信する。したがって、メッセージ２０８の伝送は、プレアンブルが伝送されたフレーム２０２の終わりよりも後まで延びる。メッセージ２０８は、たとえば、専用チャネルの要求や、短いアップリンク・ユーザデータパケットの送信のような種々の機能を提供することができる。メッセージ２０８の伝送は、従局に固有の拡散符号を使用する別々のチャネルで行われるので、他のランダムアクセスチャネル上の他の伝送と干渉しない。
【００１９】
従局は、（たとえば、スロット化されたALOHAプロトコルを使用して）ランダムに送信するためのアクセススロット２０４を選択する。図２には、フレーム２０２内の最初の５個の利用可能な伝送タイミングＡ〜Ｅが示されている。メッセージ２０８の伝送は、便宜上、伝送スロット２０４の先頭で始まるように図示されているが、実際には、このような整列の仕方で無くても構わない。
【００２０】
UMTSシステムに上記の機能を設けるためのチャネルの他の配置例は、従局１１０による主局１００に対するサービス要求の送信に専用化されたチャネルである。このサービスを使用する前に、移動局１１０は、主局１００に登録され、（明示的若しくは自動的に）専用シグナリングスロットを要求しなければならない。UMTS用のこのようなチャネルの一配置例は図３に示されている。主局１００に登録された各従局１１０は、各フレーム２０２にタイムスロット３０２が割り当てられる。一実施例において、タイムスロット３０２は、３．８μｓの最小区間を有し、プレアンブル２０６を送信するために必要な時間の２５６分の１である。
【００２１】
登録された従局１１０が信号を送信しようとするとき、従局は割り当てられたタイムスロットを判定し、プレアンブル２０６を送信する。プレアンブル２０６は、サイン(signature)を拡散させるためセル固有コードを用いてランダムアクセスチャネルの場合と同じ方法で構築されるが、サインのランダムな選択とは異なり、最適な相関特性を有するサイン（又は、サインの小さい組）は、通常、全てのプレアンブルで使用するため選択される。このサインは、便宜的に、ランダムアクセスチャネルで使用するため利用可能なサインの中の一つであるが、この例に限定されるものではない。プレアンブル２０６の送信は、割り当てられたタイムスロット３０２の先頭で始まる。プレアンブル２０６を送信するため必要な時間はタイムスロット３０２の区間よりも非常に長いので、隣接したタイムスロット３０２の伝送は、図３に示されるように重なり合う。図３では、フレーム２０２の最初の５個のタイムスロットにおける伝送がラベルＦ〜Ｊとして示されている。
【００２２】
アクセスコードは、整合フィルタを用いて主局１００で検出され、ピークが整合フィルタの出力に現れる時点は、要求を発行した従局１１０を示す。タイムスロット３０２の長さは、プレアンブル２０６を送信するために要する時間よりも非常に短いので、隣接したタイムスロット３０２に関する伝送は、図３に概略的に示されるように重なり合う。主局１００は、たとえば、大きいセル内での伝送遅延の影響を許容するため、フレーム２０２で利用可能なタイムスロットを割り当て尽くさないように選択する。
【００２３】
専用シグナリングチャネルを使用する方法は図４のフローチャートに示されている。従局１１０が新しいセルに入るとき、従局は、最初にセルの主局１００に登録する（ステップ４０２）。ステップ４０４で、従局１１０は、専用シグナリングスロットを設ける必要があるかどうかを判定する。専用シグナリングスロットの設置が必要であるならば、従局１１０は、これらのスロットがランダムアクセスチャネルを用いてメッセージを送信することにより割り当てられることを要求する（ステップ４０６）。ステップ４０８で、従局１１０は、要求したシグナリングスロットが割り当てられたかどうかを判定する。シグナリングスロットが割り当てられていない場合、従局１１０はステップ４０６に戻り再要求を行う。シグナリングスロットが割り当てられた場合、従局１１０は、送信すべきデータが準備できるまで待機し（ステップ４１０）、準備ができた時点で、従局は、専用シグナリングチャネルのフレーム２０２内の割り当てられた時点でプレアンブル２０６を送信する（ステップ４１２）。
【００２４】
ステップ４１４で、従局１１０は、信号が主局１００によって受信され、要求されたアップリンク・リソースが割り当てられたかどうかを判定する。アップリンク・リソースが割り当てられていない場合、従局１１０は、シグナル４１２を繰り返し、割り当てられた場合には、従局１１０は割り当てられたアップリンク・リソースを用いてデータを送信する（ステップ４１６）。データの送信が成功したかどうかが検査され（ステップ４１８）、エラーが発生した場合には、データが再送される。全てのデータが正しく送信された場合、従局１１０はステップ４１０に戻り、送信すべきデータが現れるまで待機する。
【００２５】
上記の方法は、通常、たとえば、ランダムアクセス若しくは専用シグナリングチャネル上で送信される要求の個数を制限するためタイムアウトを追加するような付加的な事項を含むことに注意する必要がある。
【００２６】
本発明によれば、プレアンブル２０６を生成するため同じセル固有拡散符号を用いて、同一チャネル上でランダムアクセス伝送と専用アクセス伝送の両方を実現し得るシステムが提供される。これにより、ハードウェアを重複することなく、両方の方式の利点が得られる。プレアンブル２０６を生成するため、同じ拡散符号が使用されるため、両方の方式を使用するアクセス試行の間に干渉が起こり得る。この問題は、伝送チャネル、好ましくは、各フレーム２０２を、複数の部分に分割することにより解決される。より大きいシステム容量が必要とされる場合、多数のセル固有拡散符号が使用され、それぞれのセル固有拡散符号は、ランダムアクセス伝送、専用シグナリング伝送若しくは両者が組み合わされた伝送のため使用することができるチャネルを定義する。
【００２７】
図５は、実現可能な一フレームフォーマットを示す図であり、フレーム２０２の前半部分５０２はランダムアクセス伝送（Ｒ）に割り当てられ、フレーム２０２の後半部分５０４は専用シグナリング伝送（Ｄ）に割り当てられている。
両方の方式への割り当てが重ならない場合、両方の方式を使用するアクセス試行間に干渉は存在しない。しかし、実際上、生じる干渉があまり厳しくない場合には、僅かな重なり合いは許容可能である。フレーム２０２の前半部分と後半部分の境界は主局１００により決定され、主局は、各フレーム２０２の各伝送タイプ毎に利用可能なアクセススロットに関する情報を放送チャネルで配信する。
【００２８】
別の実現可能なフレームフォーマットは図６に示されている。同図において、フレーム２０２は、ランダムアクセス伝送（Ｒ）に割り当てられた部分６０２と、専用シグナリング伝送（Ｄ）に割り当てられた部分とに細分される。ランダムアクセスチャネルの一実施例において、プレアンブル・パワー・ランプ方式が使用され、従局１１０がプレアンブル２０６を送信し、メッセージ２０８を送信する前に主局１００からの承認を待機する。所定の期間の経過後に、承認が受信されない場合、従局１１０は、より高いパワーレベルでプレアンブル２０６を送信し、承認情報が受信されるまでこのプロセスを続ける。
【００２９】
図６のフレームフォーマットは、簡単な例によって示され得るように、図５の場合よりも頻繁なパワーランプが行われる。従局１１０が要求の承認を待機するための所定の時間がフレーム２０２の区間の半分（すなわち、５ｍｓ）であり、従局１１０がその要求をフレーム２０２の先頭で送信するならば、図５のフォーマットが使用される限り（フレーム２０２が部分５０２と部分５０４に均等に分割される場合）、１フレームあたり１個のプレアンブルしか送信されない。しかし、図６のフレームフォーマットを使用する場合、ランダムアクセスに割り当てられた別の部分６０２がフレームの後半部分に設けられるので、１フレームあたり２個の要求が送信され得る。同様の考察は、異なる遅延にも適用される。
【００３０】
図６に示されたフレーム２０２の部分６０２、６０４は、等しい区間を含むが、本発明によるシステムは、このようなスキームに制限されない。唯一の要求事項は、各伝送方式に割り当てられたフレーム２０２の部分が重なり合い過ぎないことである。フレーム２０２の全体がランダムアクセス伝送若しくは専用シグナリング伝送に割り当てられることは要求されず、フレーム２０２のその他の部分は別の目的のため割り当てられ、あるいは、使用されないままでも構わないことに注意する必要がある。
【００３１】
ランダムアクセス伝送と専用シグナリング伝送の両方式に対し一つのチャネルを使用することによって、各伝送タイプに専用チャネルが設けられるシステムよりも利用可能な容量が減少する。しかし、これは問題ではなく、本発明によるシステムは、必要に応じて付加的なチャネルを付与するフレキシビリティがある。各付加チャネルは、支援されるべきトラヒックによる要求に応じて、ランダムアクセス伝送若しくは専用シグナリング伝送が完全に占有してもよく、あるいは、ランダムアクセス伝送と専用シグナリング伝送の間で分割してもよい。
【００３２】
本発明の一つの効果は、ランダムアクセス伝送と専用シグナリング伝送の両方に対して、符号生成器及び整合フィルタを重複させることなく、同一ハードウェアを使用できることである。図７は、本発明に従って製作された従局１１０内の送信機の一部の概略図である。送信機は、プレアンブル生成ブロック７０２と、データ符号化ブロック７５２とを有し、各ブロックは、必要に応じて、スイッチ７８０を用いて変調及び無線トランシーバー手段７９０に接続され、プレアンブル及びデータは無線伝送手段７９２を用いて送信される。同図に示されたスイッチ７８０は、プレアンブル生成ブロック７０２をトランシーバー７９０に接続し、データ符号化ブロック７５２をトランシーバー７９０に接続する別のコネクションは点線で図示されている。
【００３３】
プレアンブル生成器７０２は、サイン生成器７０４を有し、サイン生成器７０４の出力は、乗算器７０６内でセル固有符号７０８と合成することによって拡散される。プレアンブル生成ブロック７０２は、ランダムアクセス伝送と専用シグナリング伝送の両方の伝送のため使用できるので、ハードウェアの重複が避けられる。ランダムアクセス伝送用に使用されたとき、サイン生成器７０４は、利用可能なサインの組からランダムにサインを選択し、専用シグナリング伝送のため使用されるときには、適切な所定のサインが選択される。サイン生成器は、プレアンブル２０６の送信が必要な時点でサインを配布するように制御される。
【００３４】
データ符号化ブロック７５２は、データチャネル及び制御情報チャネルの二つの別々のチャネルを有する。データチャネルは、入力データ７５４を乗算器７５６内でデータチャネルを定義するデータ拡散符号７５８と合成することによって入力データ７５４を処理する。処理されたデータ信号は、加算ブロック７６０への同相（ｉ）入力を形成する。制御チャネルは、入力制御データ７６４を制御チャネルを定義する制御拡散符号７６８と乗算器７６８で合成することによって、入力制御データを処理する。信号の位相は、移相器ブロック７７０によって９０°ずつ移され、加算ブロック７６０への直角位相（Ｑ）入力を形成する。加算ブロック７６０からの合成された出力は、従局固有拡散符号７７８と乗算器７７６で合成されることにより更に処理される。
【００３５】
図８は、本発明に従って製作された主局１００内の受信機の一部の概略図である。伝送情報は、無線伝送手段８０２によって受信され、復調手段８０４によって復調される。得られた信号は整合フィルタ８０６に送られ、整合フィルタは、セル固有符号７０８で符号化されたデータを通過させる。整合フィルタ８０６からの出力はプレアンブル相関ブロック８０８に送られ、プレアンブル相関ブロックは、受信信号と適切なサインとの間の相関を判定する。伝送情報が多数の信号の中の１個の信号を包含する場合（ランダムアクセス伝送、あるいは、多数のサインを使用する専用シグナリング伝送の場合）、相関ブロック８０８は多数の並列チャネルを有し、各チャネルが単一のサインを見つける。
【００３６】
プレアンブル相関ブロック８０８の出力のピークは、ピーク検出ブロック８１０で検出される（ピーク検出ブロックは、相関ブロック８０８と同数の並列チャネルを有する）。ピーク検出ブロックからの出力は、スイッチ８１２によって経路が決められる。スイッチ８１２は、フレームがランダムアクセス伝送から専用シグナリング伝送に変わるとき、あるいは、その逆に変わるときに、状態を切り換えるよう制御される。図示されたスイッチ８１２は、専用シグナリングに適した位置にセットされ、ピーク検出ブロック８１０の出力をタイミング推定器８１４に送る。タイミング推定器８１４は、ピーク出力が現れた時点を判定する。タイミング推定器８１４からの出力は、受信機内の媒体アクセス制御（MAC）処理ソフトウェアに渡される。媒体アクセス制御処理ソフトウェアは、受信された信号の発信側の従局１１０を特定し、適切な行動をとる。
【００３７】
図８に点線で示されるようにスイッチ８１２がランダムアクセスに適した位置に切り換えられたとき、ピーク検出ブロック８１０の出力は、等化ブロック８１８に入力として与えられる（等化ブロックは、相関ブロック８０８及びピーク検出ブロック８１０と同数の並列チャネルを有する）。等化ブロック８１８は、変調手段８０４からの出力信号をもう一つの入力として受け、等化信号８２０を出力として発生し、等化信号８２０はデータを復号化するため受信機内の（図示しない）パケット復号化手段に渡される。
【００３８】
主局１００によるフレーム２０２のランダムアクセスと専用シグナリングの間の分割を制御する方法は、図９のフローチャートに示されている。このプロセスがステップ９０２で開始された後、ステップ９０４で、専用シグナリングタイムスロット３０２の分離が判定される。適切な分離は伝播遅延の影響を許容するためセルサイズが増加すると共に増大する。ランダムアクセス伝送と専用シグナリング伝送の間のデフォルト分割はステップ００６で行われ、デフォルト分割の詳細は、主局１００のカバレッジエリア内の従局１１０に物理放送チャネルで放送される。
【００３９】
一旦システムが動き出すと、主局１００は、ステップ９０８で、ランダムアクセス伝送及び専用シグナリング伝送の両方に関して１分以上のオーダーの適当な期間に亘る平均フラクショナル・ローディングを判定し、ランダムアクセスローディング対専用シグナリングローディングの比を計算する。
【００４０】
次に、ステップ９１２において、この比は、第１の閾値Ｔ１を超えたかどうかを判定するためテストされる。この比が第１の閾値Ｔ１を超える場合、ランダムアクセス伝送上の負荷は、専用シグナリング伝送上の負荷よりも非常に高く、主局１００は、ランダムアクセス伝送に割り当てられたフレーム２０２の割合をステップ９１４で増加させる。ステップ９１２のテストの結果が否定的である場合、この比は、ステップ９１６において、第２の閾値Ｔ２よりも小さいかどうかを判定するため再度テストされる。テストの結果が肯定的である場合、ランダムアクセス伝送上の負荷は専用シグナリング伝送上の負荷よりも非常に低く、主局１００は、ステップ９１８で、ランダムアクセス伝送に割り当てられたフレーム２０２０の割合を減少させる。
【００４１】
閾値Ｔ１及びＴ２は、たとえば、セルサイズ、伝播環境、及び、トラヒック特性（パケットかサーキットか）に依存して、特定の配置に対する性能を最適化するためオペレータによる選択が可能である。
【００４２】
ステップ９１４又はステップ９１８で調節が行われた後、主局１００のプロセスはステップ９０８に戻り、新しい負荷平均を判定し、上記ステップを繰り返す。
【００４３】
フレーム２０２の分割に対する変更の結果として、特定の従局１１０に対する専用シグナリングタイムスロット割り当てを変更する必要が生じた場合、このことが物理放送チャネル上でシグナリングされる。調節が行われるとき、専用タイムスロット３０２を、フレーム２０２のランダムアクセス部分と専用シグナリング部分の境界付近に割り当てない方が有利である。その理由は、この方が将来の分割の変更を容易に実現できるからである。
【００４４】
上記の本発明の開示を読むことにより、その他の変形が当業者には明白である。このような変形には、無線通信システム、並びに、無線通信システムの構成部品における公知であり、上記説明中の事項に代えて、あるいは、上記説明中の事項に加えて私用することができるその他の事項が含まれる。
【００４５】
［産業上利用性］
本発明は、たとえば、UMTSのような無線通信システムの分野に適用される。
【図面の簡単な説明】
【図１】  無線通信システムの概略図である。
【図２】  ランダムアクセスチャネル用のフレームフォーマットの説明図である。
【図３】  専用アップリンクシグナリングチャネル用のフレームフォーマットの説明図である。
【図４】  専用アップリンクシグナリングチャネルを使用する方法のフローチャートである。
【図５】  ランダムアクセスチャネルと専用アップリンクシグナリングチャネルが組み合わされた実現可能な一フレームフォーマットの説明図である。
【図６】  ランダムアクセスチャネルと専用アップリンクシグナリングチャネルが組み合わされた実現可能な他のフレームフォーマットの説明図である。
【図７】  移動局内の送信機の概略図である。
【図８】  基地局内の受信機の概略図である。
【図９】  ランダムアクセス伝送と専用シグナリング伝送の間でフレームを分割する方法のフローチャートである。
【図１】
0004607333.tif 000002
【図２】
0004607333.tif 000003
【図３】
0004607333.tif 000004
【図４】
0004607333.tif 000005
【図５】
0004607333.tif 000006
【図６】
0004607333.tif 000007
【図７】
0004607333.tif 000008
【図８】
0004607333.tif 000009
【図９】
0004607333.tif 000010